(57)【特許請求の範囲】
【請求項１】
端末が、自分が使用した、端末へサービスデータを送信する第一設備と、端末に対するマルチポイント協調送受信の実行に参加する少なくとも１つの第二設備とを備える測定セットを確認するステップと、  
前記端末が、前記測定セット内の各設備が送信した測定基準信号をそれぞれ受信し、かつ、各設備が送信した測定基準信号に基づき、対応の設備の初期ＣＱＩをそれぞれ測定するステップと、  
前記端末が、獲得した各設備の初期ＣＱＩをネットワーク側装置へ送信し、チャネルマトリックス参考情報を前記ネットワーク側装置へ送信し、前記ネットワーク側装置が、受信した前記各設備の初期ＣＱＩおよび前記チャネルマトリックス参考情報に基づき、前記端末の目標ＣＱＩを算出するようにするステップとを備え、
前記端末が、いずれかの設備が送信した測定基準信号に基づく、当該設備の初期ＣＱＩ測定ステップは、
前記端末が、前記第１設備と、前記第２設備とのうちの、いずれかの設備が送信した測定基準信号に基づき、前記いずれかの設備から端末の各サブキャリアまでのチャネルマトリックスを獲得するステップと、
前記端末が、前記いずれかの設備から端末の各サブキャリアまでのチャネルマトリックスに基づき、数式
0005681833.tif 000073
を用いて前記いずれかの設備の初期ＣＱＩを算出するステップとを備え、
ここで、
0005681833.tif 000074
は、端末ｑの測定セットにおける第ｉ個設備の初期ＣＱＩであり、  
0005681833.tif 000075
は、量子化関数であり、  
Ｓは、サブキャリア・アグリゲーションであり、
0005681833.tif 000076
は、マッピング函数であり、
0005681833.tif 000077
を１つの数値としてマッピングし、Ｓ内の全サブキャリアにおける平均チャネル品質を代表し、
0005681833.tif 000078
は、端末ｑの測定セットにおける第ｉ個設備のサブキャリアｋにおける初期ＣＱＩであることを特徴とするチャネル品質指標ＣＱＩの報告方法。
【請求項２】
前記端末が前記測定セット内の各設備が送信した測定基準信号のそれぞれを受信するステップは、
前記端末が、前記測定セットの各設備が送信した共通基準信号ＣＲＳまたは／およびチャネル状態情報基準信号ＣＳＩ−ＲＳをそれぞれ受信するステップを備えていることを特徴とする請求項１に記載のチャネル品質指標ＣＱＩの報告方法。
【請求項３】
0005681833.tif 000079
、あるいは、
0005681833.tif 000080
であり、
0005681833.tif 000081
は、第ｉ個設備から端末ｑのサブキャリアｋまでのチャネルマトリックスであり、その次元数は、
0005681833.tif 000082
であり、
0005681833.tif 000083
は、端末ｑの受信アンテナ数であり、
0005681833.tif 000084
は、第ｉ個設備内の基地局の送信アンテナ数であり、
0005681833.tif 000085
は、端末が受けた干渉および雑音であり、前記干渉は、測定セット以外の設備からの端末への干渉であり、
0005681833.tif 000086
は、サブキャリアｋにおける線形測定器であることを特徴とする請求項１または請求項２に記載のチャネル品質指標ＣＱＩの報告方法。
【請求項４】
前記端末が獲得した各設備を初期ＣＱＩのネットワーク側装置へ送信するステップは、
前記端末が、獲得した各設備の初期ＣＱＩを第一設備へ送信する、あるいは、前記測定セットの任意の１つまたは複数の設備へ送信する、或いは、測定セットの設備全てと関連するセンター制御ノードへ送信するステップを備えていることを特徴とする請求項３に記載のチャネル品質指標ＣＱＩの報告方法。
【請求項５】
前記端末の、チャネルマトリックス参考情報をネットワーク側装置へ送信するステップは、
前記端末が、アップリンクサウンディング基準信号ＳＲＳを送信し、前記測定セットの各設備が、全て受信したＳＲＳに基づき、端末から対応の設備までのアップリンクチャネルマトリックスを獲得し、かつ、チャネル相互性に基づき、対応のダウンリンクチャネルマトリックスを獲得し、それぞれ各自が獲得したダウンリンクチャネルマトリックスをチャネルマトリックス参考情報として前記ネットワーク側装置まで送信するようにするステップ、或いは、
前記端末が、測定セット内の各設備のダウンリンク参考符号に基づき、それぞれ獲得したチャネルマトリックスをチャネルマトリックス参考情報とし、ネットワーク側装置まで送信するステップとを備えていることを特徴とする請求項３に記載のチャネル品質指標ＣＱＩの報告方法。
【請求項６】
ネットワーク側装置は、端末が送信した、端末へサービスデータを送信する第一設備と、端末に対するマルチポイント協調送受信の実行に参加する少なくとも１つの第二設備とを備える測定セット内の各設備に対する初期ＣＱＩを受信するステップと、  
前記ネットワーク側装置が、端末からのチャネルマトリックス参考情報を受信し、かつ、受信した前記各設備の初期ＣＱＩおよび前記チャネルマトリックス参考情報に基づき、前記端末の目標ＣＱＩを算出して獲得するステップとを備え、
前記初期ＣＱＩは、
前記端末が、第一設備と、第一設備とのうちのいずれかの設備が送信した測定基準信号に基づき、前記いずれかの設備から端末の各サブキャリアまでのチャネルマトリックスを獲得して、前記チャネルマトリックスに基づき、数式
0005681833.tif 000087
を用いて前記いずれかの設備の初期ＣＱＩを算出し、
ここで、
0005681833.tif 000088
は、端末ｑの測定セットにおける第ｉ個設備の初期ＣＱＩであり、  
0005681833.tif 000089
は、量子化関数であり、  
Ｓは、サブキャリア・アグリゲーションであり、
0005681833.tif 000090
は、マッピング函数であり、
0005681833.tif 000091
を１つの数値としてマッピングし、Ｓ内の全サブキャリアにおける平均チャネル品質を代表し、
0005681833.tif 000092
は、端末ｑの測定セットにおける第ｉ個設備のサブキャリアｋにおける初期ＣＱＩであることを特徴とするチャネル品質指標ＣＱＩの処理方法。
【請求項７】
前記ネットワーク側装置は、前記測定セットの第一設備、前記測定セットの任意の１つ或いは複数の設備、または、測定セットの全設備と関連するセンター制御ノードであることを特徴とする請求項６に記載のチャネル品質指標ＣＱＩの処理方法。
【請求項８】
前記ネットワーク側装置が、端末からのチャネルマトリックス参考情報を受信するステップは、
前記測定セットの各設備が、端末からそれぞれ受信したＳＲＳに基づき、対応のアップリンクチャネルマトリックスを獲得し、かつ、チャネル相互性に基づき、対応のダウンリンクチャネルマトリックスをそれぞれ獲得するステップと、
前記ネットワーク側装置が、各設備が送信したダウンリンクチャネルマトリックスをそれぞれ受信し、かつ、各ダウンリンクチャネルマトリックスをチャネルマトリックス参考情報とするステップと、
前記ネットワーク側装置は、端末が送信した測定セットにおける各設備のダウンリンク参考符号に基づき、それぞれ獲得したチャネルマトリックスを受信し、かつ、各チャネルマトリックスをチャネルマトリックス参考情報とするステップとを備えていることを特徴とする請求項６に記載のチャネル品質指標ＣＱＩの処理方法。
【請求項９】
前記ネットワーク側装置が、受信した前記各設備の初期ＣＱＩおよび前記チャネルマトリックス参考情報に基づく、前記端末の目標ＣＱＩを算出して獲得するステップは、
前記ネットワーク側装置が、測定セット内の各設備のスケジューリング完了後、端末の各サブキャリアにおける目標ＣＱＩを算出するステップと、
前記ネットワーク側装置が、獲得した各サブキャリアにおける目標ＣＱＩをマッピング処理し、マッピングして統一値とするステップとを備えていることを特徴とする請求項６、請求項７または請求項８に記載のチャネル品質指標ＣＱＩの処理方法。
【請求項１０】
前記ネットワーク側装置が、前記端末の任意のサブキャリアにおける目標ＣＱＩを算出する場合、数式
0005681833.tif 000093
を用いて算出するし、
ここで、
0005681833.tif 000094
は、端末ｑのサブキャリアｋにおける目標ＣＱＩであり、  
0005681833.tif 000095
は、端末ｑの測定セットにおける第ｉ個設備の初期ＣＱＩであり、  
0005681833.tif 000096
は、
0005681833.tif 000097
に基づき獲得した正規化後のチャネルマトリックスであり、
0005681833.tif 000098
、
0005681833.tif 000099
は、第ｉ個設備から端末ｑのサブキャリアｋまでのチャネルマトリックスを表し；
0005681833.tif 000100
は、測定セットにおける第i個設備が最終的にスケジューリングした端末セットであり；  
0005681833.tif 000101
は、端末ｑのプリコーディング加重値であり；  
0005681833.tif 000102
は、端末ｑの受信アンテナ数であり；  
Ａは、測定セットであり；  
0005681833.tif 000103
は、端末ｑの測定セットにおける第ｐ個設備の初期ＣＱＩであり、ｐ≠ｉ；  
0005681833.tif 000104
は、
0005681833.tif 000105
に基づき獲得した正規化後のチャネルマトリックスであり、
0005681833.tif 000106
、
0005681833.tif 000107
は、第ｐ個設備から端末ｑのサブキャリアｋまでのチャネルマトリックスを表し、ｐ≠ｉ；  
0005681833.tif 000108
は、測定セットの第ｐ個設備が最終的にスケジューリングする端末セットであり、ｐ≠ｉ；  
0005681833.tif 000109
は、端末１のプリコーディング加重値であることを特徴とする請求項９に記載のチャネル品質指標ＣＱＩの処理方法。
【請求項１１】
前記ネットワーク側装置が、前記端末の任意のサブキャリアにおける目標ＣＱＩを算出する場合、数式
0005681833.tif 000110
を用いて算出し、
ここで、
0005681833.tif 000111
は、端末ｑのサブキャリアｋにおける目標ＣＱＩであり、  
0005681833.tif 000112
は、端末ｑの測定セットにおける第ｉ個設備の初期ＣＱＩであり、  
0005681833.tif 000113
は、端末ｑのサブキャリアｋにおける線形測定器であり、  
0005681833.tif 000114
は、
0005681833.tif 000115
に基づき獲得した正規化後のチャネルマトリックスであり、
0005681833.tif 000116
、
0005681833.tif 000117
は、第ｉ個設備から端末ｑのサブキャリアｋまでのチャネルマトリックスを表し、  
0005681833.tif 000118
は、測定セットの第１個設備が最終的にスケジューリングする端末セットであり、  
0005681833.tif 000119
は、端末ｑのプリコーディング加重値であり、  
Ａは測定セットであり、  
0005681833.tif 000120
は、端末ｑの測定セットにおける第ｐ個設備の初期ＣＱＩであり、ｐ≠ｉ、  
0005681833.tif 000121
は、
0005681833.tif 000122
に基づき獲得した正規化後のチャネルマトリックスであり、
0005681833.tif 000123
、
0005681833.tif 000124
は第ｐ個設備から端末ｑのサブキャリアｋまでのチャネルマトリックスを表し、ｐ≠ｉ、
0005681833.tif 000125
は、測定セットの第ｐ個設備が最終的にスケジューリングする端末セットであり、ｐ≠ｉ、  
0005681833.tif 000126
は、端末lのプリコーディング加重値であり、  
0005681833.tif 000127
は、端末ｍのプリコーディング加重値であることを特徴とする請求項９に記載のチャネル品質指標ＣＱＩの処理方法。  
【請求項１２】
前記ネットワーク側が、獲得した各サブキャリアにおける目標ＣＱＩをマッピング処理し、マッピングして統一値とする場合、
0005681833.tif 000128
を用い、マッピング処理を行い、ここで、
0005681833.tif 000129
は、獲得した各サブキャリアにおける目標ＣＱＩをマッピング処理後、獲得した統一値であり；
0005681833.tif 000130
は、端末ｑのサブキャリアｋにおける目標ＣＱＩであり；
0005681833.tif 000131
は、マッピング函数であり；Ｓは、サブキャリア・アグリゲーションであることを特徴とする請求項９に記載のチャネル品質指標ＣＱＩの処理方法。
【請求項１３】
本装置が使用した、本装置へサービスデータを送信する第一設備と、本装置に対するマルチポイント協調送受信の実行に参加する少なくとも１つの第二設備とを備える測定セットを確認する、確認ユニットと、  
前記測定セット内の各設備が送信した測定基準信号をそれぞれ受信する、受信ユニットと、  
各設備が送信した測定基準信号に基づき、対応の設備の初期ＣＱＩをそれぞれ測定する、測定ユニットと、  
獲得した各設備の初期ＣＱＩをネットワーク側装置へ送信し、チャネルマトリックス参考情報を前記ネットワーク側装置へ送信し、前記ネットワーク側装置が、受信した前記各設備の初期ＣＱＩおよび前記チャネルマトリックス参考情報に基づき、本装置の目標ＣＱＩを算出して獲得するようにする、送信ユニットと
を備え、
前記測定ユニットが、いずれかの設備が送信した測定基準信号に基づいて、前記設備の初期ＣＱＩを測定することは、
前記測定ユニットが、前記第１設備と、前記第２設備とのうちの、いずれかの設備が送信した測定基準信号に基づき、当該いずれかの設備から端末の各サブキャリアまでにおけるチャネルマトリックスを獲得することと、
前記測定ユニットが、いずれかの設備から各サブキャリアまでのチャネルマトリックスに基づき、数式
0005681833.tif 000132
を用い、前記いずれかの設備の初期ＣＱＩを算出することとを備え、
ここで、
0005681833.tif 000133
は、端末ｑの測定セットにおける第ｉ個設備の初期ＣＱＩであり、  
0005681833.tif 000134
は、量子化関数であり、  
Ｓはサブキャリア・アグリゲーションであり；
0005681833.tif 000135
はマッピング函数であり、
0005681833.tif 000136
を１つの数値としてマッピングし、Ｓ内の全サブキャリアにおける平均チャネル品質を代表し、
0005681833.tif 000137
は、端末ｑの測定セットにおける第ｉ個設備はサブキャリアｋにおける初期ＣＱＩであることを特徴とするチャネル品質指標ＣＱＩの報告装置。
【請求項１４】
前記受信ユニットが、前記測定セット内の各設備が送信した測定基準信号をそれぞれ受信するステップは、
前記受信ユニットが、前記測定セットの各設備が送信した共通基準信号ＣＲＳまたは／およびチャネル状態情報基準信号ＣＳＩ−ＲＳをそれぞれ受信するステップを備えていることを特徴とする請求項１３に記載のチャネル品質指標ＣＱＩの報告装置。
【請求項１５】
0005681833.tif 000138
、または、
0005681833.tif 000139
であり、
0005681833.tif 000140
は、第ｉ個設備から端末ｑのサブキャリアｋまでのチャネルマトリックスであり、その次元数は
0005681833.tif 000141
であり、
0005681833.tif 000142
は、端末ｑの受信アンテナ数であり、
0005681833.tif 000143
は、第ｉ個設備内の基地局の送信アンテナ数であり、
0005681833.tif 000144
は、端末が受けた干渉とノイズパワーであり、
0005681833.tif 000145
は、サブキャリアｋにおける線形測定器であることを特徴とする請求項１３に記載のチャネル品質指標ＣＱＩの報告装置。
【請求項１６】
前記送信ユニットが、獲得した各設備の初期ＣＱＩを前記ネットワーク側装置へ送信することは、
前記送信ユニットが、獲得した各設備の初期ＣＱＩを第一設備へ送信する、或いは前記測定セットの任意の１つまたは複数の設備へ送信する、或いは、測定セットの設備全てと関連するセンター制御ノードへ送信することを備えていることを特徴とする請求項１５に記載のチャネル品質指標ＣＱＩの報告装置。
【請求項１７】
前記送信ユニットが、チャネルマトリックス参考情報をネットワーク側装置へ送信することは、
前記送信ユニットが、アップリンクサウンディング基準信号ＳＲＳを送信し、前記測定セットの各設備は全て受信したＳＲＳに基づき、端末から対応の設備までのアップリンクチャネルマトリックスを獲得し、かつ、チャネル相互性に基づき、対応のダウンリンクチャネルマトリックスを獲得し、それぞれ各自が獲得したダウンリンクチャネルマトリックスをチャネルマトリックス参考情報とし、前記ネットワーク側装置まで送信すること、或いは、
前記送信ユニットが、測定セットでの各設備のダウンリンク参考符号に基づき、それぞれ獲得したチャネルマトリックスをチャネルマトリックス参考情報とし、ネットワーク側装置まで送信することを備えていることを特徴とする請求項１５に記載のチャネル品質指標ＣＱＩの報告装置。
【請求項１８】
端末が送信した、端末へサービスデータを送信する第一設備と、端末に対するマルチポイント協調送受信の実行に参加する少なくとも１つの第二設備とを備える測定セット内の各設備に対する初期ＣＱＩを受信し、端末からのチャネルマトリックス参考情報を受信する、通信ユニットと、
受信した前記各設備の初期ＣＱＩおよび前記チャネルマトリックス参考情報に基づき、前記端末の目標ＣＱＩを算出して獲得する、処理ユニットと
を備え、
前記初期ＣＱＩは、
前記端末が、第一設備と、第一設備とのうちのいずれかの設備が送信した測定基準信号に基づき、前記いずれかの設備から端末の各サブキャリアまでのチャネルマトリックスを獲得して、前記チャネルマトリックスに基づき、数式
0005681833.tif 000146
を用いて前記いずれかの設備の初期ＣＱＩを算出し、
ここで、
0005681833.tif 000147
は、端末ｑの測定セットにおける第ｉ個設備の初期ＣＱＩであり、  
0005681833.tif 000148
は、量子化関数であり、  
Ｓは、サブキャリア・アグリゲーションであり、
0005681833.tif 000149
は、マッピング函数であり、
0005681833.tif 000150
を１つの数値としてマッピングし、Ｓ内の全サブキャリアにおける平均チャネル品質を代表し、
0005681833.tif 000151
は、端末ｑの測定セットにおける第ｉ個設備のサブキャリアｋにおける初期ＣＱＩであることを特徴とするチャネル品質指標ＣＱＩの処理装置。
【請求項１９】
前記装置は、端末へサービスデータを送信する第一設備、或いは、前記測定セットの任意の１つまたは複数の設備、或いは、測定セットの全設備と関連するセンター制御ノードであることを特徴とする請求項１８に記載のチャネル品質指標ＣＱＩの処理装置。
【請求項２０】
前記通信ユニットが、端末からのチャネルマトリックス参考情報を受信することは、
前記測定セット内の各設備が端末からそれぞれ受信したＳＲＳに基づき、対応のアップリンクチャネルマトリックスを獲得し、かつ、チャネル相互性に基づき、対応のダウンリンクチャネルマトリックスをそれぞれ獲得し、前記通信ユニットが、各設備が送信したダウンリンクチャネルマトリックスをそれぞれ受信し、かつ、各ダウンリンクチャネルマトリックスをチャネルマトリックス参考情報とすることと、
前記通信ユニットが、端末が送信した測定セットにおける各設備のダウンリンク参考符号に基づき、それぞれ獲得したチャネルマトリックスを受信し、かつ、各チャネルマトリックスをチャネルマトリックス参考情報とすることとを備えていることを特徴とする請求項１８に記載のチャネル品質指標ＣＱＩの処理装置。
【請求項２１】
前記処理ユニットが、受信した前記各設備の初期ＣＱＩおよび前記チャネルマトリックス参考情報に基づく、前記端末の目標ＣＱＩの算出して獲得ことは、
前記処理ユニットが、獲得した各サブキャリアにおける目標ＣＱＩをマッピング処理し、マッピングして統一値とすることを備えていることを特徴とする請求項１８、請求項１９または請求項２０に記載のチャネル品質指標ＣＱＩの処理装置。
【請求項２２】
前記処理ユニットが、前記端末の任意のサブキャリアにおける目標ＣＱＩを算出する場合、数式
0005681833.tif 000152
を用いて算出し、
ここで、
0005681833.tif 000153
は、端末ｑのサブキャリアｋにおける目標ＣＱＩであり、  
0005681833.tif 000154
は、端末ｑの測定セットにおける第ｉ個設備の初期ＣＱＩであり、  
0005681833.tif 000155
は、
0005681833.tif 000156
に基づき獲得した正規化後のチャネルマトリックスであり、
0005681833.tif 000157
、
0005681833.tif 000158
は、第ｉ個設備から端末ｑのサブキャリアｋまでのチャネルマトリックスを表し、
0005681833.tif 000159
は、測定セット内の第i個設備が最終的にスケジューリングした端末セットであり、
0005681833.tif 000160
は、測定セット内の第i個設備が最終的にスケジューリングした端末数であり、
0005681833.tif 000161
は、端末ｑのプリコーディング加重値であり、  
0005681833.tif 000162
は、端末ｑの受信アンテナ数であり；  
Ａは、測定セットであり；  
0005681833.tif 000163
は、端末ｑの測定セット内の第ｐ個設備の初期ＣＱＩであり、ｐ≠ｉ；  
0005681833.tif 000164
は、
0005681833.tif 000165
に基づき獲得した正規化後のチャネルマトリックスであり、
0005681833.tif 000166
、
0005681833.tif 000167
は、第ｐ個設備から端末ｑのサブキャリアｋまでのチャネルマトリックスを表し、ｐ≠ｉ；  
0005681833.tif 000168
は、測定セット内の第ｐ個設備が最終的にスケジューリングする端末セットであり、ｐ≠ｉ；  
0005681833.tif 000169
は、端末１のプリコーディング加重値であることを特徴とする請求項２１に記載のチャネル品質指標ＣＱＩの処理装置。
【請求項２３】
前記処理ユニットが、前記端末の任意のサブキャリアにおける目標ＣＱＩを算出する場合、数式
0005681833.tif 000170
を用いて算出し、
ここで、
0005681833.tif 000171
は、端末ｑのサブキャリアｋにおける目標ＣＱＩであり、  
0005681833.tif 000172
は、端末ｑの測定セットにおける第ｉ個設備の初期ＣＱＩであり、  
0005681833.tif 000173
は、端末ｑのサブキャリアｋにおける線形測定器であり、  
0005681833.tif 000174
は、
0005681833.tif 000175
に基づいて獲得した正規化後のチャネルマトリックスであり、
0005681833.tif 000176
、
0005681833.tif 000177
は、第ｉ個設備から端末ｑのサブキャリアｋまでのチャネルマトリックスを表し、  
0005681833.tif 000178
は、測定セットの第１個設備が最終的にスケジューリングする端末セットであり、  
0005681833.tif 000179
は、端末ｑのプリコーディング加重値であり、  
Ａは、測定セットであり、  
0005681833.tif 000180
は、端末ｑの測定セットにおける第ｐ個設備の初期ＣＱＩであり、ｐ≠ｉ、  
0005681833.tif 000181
は、
0005681833.tif 000182
に基づき獲得した正規化後のチャネルマトリックスであり、
0005681833.tif 000183
、
0005681833.tif 000184
は第ｐ個設備から端末ｑのサブキャリアｋまでのチャネルマトリックスを表し、ｐ≠ｉ、  
0005681833.tif 000185
は、測定セットの第ｐ個設備が最終的にスケジューリングする端末セットであり、ｐ≠ｉ、  
0005681833.tif 000186
は、端末lのプリコーディング加重値であり、  
0005681833.tif 000187
は、端末ｍのプリコーディング加重値であることを特徴とする請求項２１に記載のチャネル品質指標ＣＱＩの処理装置。
【請求項２４】
前記処理ユニットが、獲得した各サブキャリアにおける目標ＣＱＩをマッピング処理し、これによりマッピングして統一値とする場合、数式
0005681833.tif 000188
を用いて前記マッピング処理を行い、ここで、
0005681833.tif 000189
は、獲得した各サブキャリアにおける目標ＣＱＩをマッピング処理後、獲得した統一値であり、
0005681833.tif 000190
は、端末ｑのサブキャリアｋにおける目標ＣＱＩであり、
0005681833.tif 000191
は、マッピング函数であり、Ｓは、サブキャリア・アグリゲーションであることを特徴とする請求項２１に記載のチャネル品質指標ＣＱＩの処理装置。
【請求項２５】
本端末が使用した、本端末へサービスデータを送信する第一設備と、本端末に対するマルチポイント協調送受信の実行に参加する少なくとも１つの第二設備とを備える測定セットを確認し、
それぞれ前記測定セット内の各設備が送信した測定基準信号を受信し、かつ、各設備が送信した測定基準信号に基づき、対応の設備の初期ＣＱＩをそれぞれ測定し、獲得した各設備の初期ＣＱＩをネットワーク側装置へ送信し、かつ、チャネルマトリックス参考情報を前記ネットワーク側装置へ送信し、前記ネットワーク側装置が、受信した前記各設備の初期ＣＱＩおよび前記チャネルマトリックス参考情報に基づき、本端末の目標ＣＱＩを算出して獲得するようにする、端末と、
端末が送信した測定セット内の各設備に対する初期ＣＱＩを受信し、端末からのチャネルマトリックス参考情報を受信し、かつ、受信した前記各設備の初期ＣＱＩおよび前記チャネルマトリックス参考情報に基づき、前記端末の目標ＣＱＩを算出して獲得する、ネットワーク側とを備え、
前記初期ＣＱＩは、
前記端末が、第一設備と、第一設備とのうちのいずれかの設備が送信した測定基準信号に基づき、前記いずれかの設備から端末の各サブキャリアまでのチャネルマトリックスを獲得して、前記チャネルマトリックスに基づき、数式
0005681833.tif 000192
を用いて前記いずれかの設備の初期ＣＱＩを算出し、
ここで、
0005681833.tif 000193
は、端末ｑの測定セットにおける第ｉ個設備の初期ＣＱＩであり、  
0005681833.tif 000194
は、量子化関数であり、  
Ｓは、サブキャリア・アグリゲーションであり、
0005681833.tif 000195
は、マッピング函数であり、
0005681833.tif 000196
を１つの数値としてマッピングし、Ｓ内の全サブキャリアにおける平均チャネル品質を代表し、
0005681833.tif 000197
は、端末ｑの測定セットにおける第ｉ個設備のサブキャリアｋにおける初期ＣＱＩであることを特徴とするチャネル品質指標ＣＱＩの報告および処理システム。
【発明の詳細な説明】
【技術分野】
【０００１】
本出願は、２０１１年４月２２日に中国特許局に提出し、申請番号が２０１１１０１０２１４８．２．であり、発明名称が「チャネル品質指標の報告方法、装置およびシステム」である中国特許出願を基礎とする優先権を主張し、その開示の総てをここに取り込む。
本発明は、通信分野に関し、特にチャネル品質指標の報告方法、装置およびシステムに関する。
【背景技術】
【０００２】
ワイヤレスセルラーネットワークシステムにおいて、一般的に、セルには、端末と通信を行う基地局１つがある。
端末のタイプは、携帯電話、ノートパソコンおよびＰＤＡ（Ｐｅｒｓｏｎａｌ  Ｄｉｇｉｔａｌ  Ａｓｓｉｓｔａｎｔ，パーソナル・デジタル・アシスタント）等を含む。
データ伝送の開始前に、基地局は、まず、端末へ基準信号（例、パイロット信号）を送信し、端末は、これら基準信号に基づいてチャネル推定値を獲得する。
基準信号は、約束により特定時間および特定周波数にて送信した既知信号シーケンスであるが、干渉とノイズ等の要素は、全てチャネル推定の品質に影響する。
【０００３】
通常の状況において、端末は、異なる場所に位置するため、異なる受信信号の強度およびノイズと干渉の強度を有している。
よって、一部の端末は、比較的高い速度で通信することができる。
例えば、セルセンターに位置するような端末は、高速で通信することができるが、セルエッジに位置する端末のような他の一部の端末は、比較的低い速度でしか通信することができない。
端末に伝送帯域幅を十分に利用するために、端末へ送信するデータフォーマットは、好ましくは、当該端末のチャネル条件と整合できるとよい。
端末へ送信するデータフォーマットとそのチャネル条件を整合させる技術をリンクアダプテーションと呼ぶ。  
【０００４】
基地局のリンクアダプテーション実現に協力するため、端末は、そのチャネル条件に基づき、ＣＱＩ（Ｃｈａｎｎｅｌ  Ｑｕａｌｉｔｙ  Ｉｎｄｉｃａｔｏｒ，チャネル品質指示情報）を報告しなければならない。
端末が報告したＣＱＩは、一定の時間周波数リソースに対応する。
つまり、端末が報告したＣＱＩは、これら時間周波数リソースにおける伝送能力を示す。
ＣＱＩの算出は、端末が自身受けた干渉ＩとノイズパワーΝを測定しなければならない。
例えば、簡単で直接的であるＣＱＩ算出のアルゴリズムの１つは、下記のとおりである：  
〈数式〉
0005681833.tif 000002
ここで、Ｐは、端末の受信信号電力であり、
0005681833.tif 000003
は、量子化関数である。
実際は、端末が測定したのは、
0005681833.tif 000004
全体である可能性がある。  
【０００５】
従来技術では、マルチポイント協調送受信（Ｃｏｏｒｄｉｎａｔｅｄ  Ｍｕｌｔｉｐｏｉｎｔ  Ｔｒａｎｓｍｉｓｓｉｏｎ／Ｒｅｃｅｐｔｉｏｎ，ＣｏＭＰ）技術は、地理的に分散している複数の伝送点の協調スケジューリング或いはジョイント伝送により、相互間の干渉を低減し、ユーザーの受信する信号の品質を向上することによりシステムの容量とエッジユーザーの周波数スペクトル效率を有効的に高めることを示す。
分散している複数の伝送点は、通常、複数のセルの基地局設備を指し、同一セル内部の異なる基地局設備でもよい。  
【０００６】
協調スケジューリングは、各基地局がセル間の時間、周波数と空間リソースの協調により、異なるＵＥに互いに直交するリソースを分配し、相互間の干渉を避けることを示す。
セル間の干渉は、セルエッジＵＥの性能を制約する主要な要素であり、協調スケジューリングにより、セル間の干渉を低減できるため、セルエッジＵＥの性能が高まる。
例えば、図１は、３セルの協調スケジューリングにより、互いに干渉するであろう３ＵＥを互いに直交するリソースにスケジューリングし、セル間の干渉を有効的に避けることを示す。  
【０００７】
また、ジョイント伝送は、複数のセルから同時にＵＥへデータを送信し、ＵＥの受信信号を強化することを示す。
例えば、図２は、３セルは、同じリソースにて同一ＵＥへデータを送信し、ＵＥは、同時に複数のセルの信号を受信することを示す。
一方で、複数のセルからの有用な信号の重畳は、ＵＥが受信する信号品質を向上でき、もう一方で、ＵＥが受ける干渉を低減し、これによりシステム性能を高める。
【０００８】
ＬＴＥ（Ｌｏｎｇ  Ｔｅｒｍ  Ｅｖｏｌｕｔｉｏｎ，ロング・ターム・エボリューション）およびＬＴＥ−Ａ（ＬＴＥ−Ａｄｖａｎｃｅｄ，ロング・ターム・エボリューション・アドバンスト）システムにおいて、ＵＥは、セルにサービスする共通基準信号（ＣＲＳ）或いはチャネル状態情報基準信号（ＣＳＩ−ＲＳ）に基づき、基地局からＵＥまでのチャネル情報（例、信号マトリックス、干渉、ノイズ等々）を推定し、かつ、ＣＱＩを算出し、基地局へフィードバックする。
さらに、ＣＱＩと共に、プリコーディングマトリックス指標（ＰＭＩ）とランク指標（ＲＩ）もフィードバックする可能性がある。
基地局は、ＣＱＩのフィードバックを利用し、スケジューリング、リソース分配と変調コーディング・スキーム（ＭＣＳ）選択等の操作ができ、周波数スペクトル利用率を高める。
マルチポイント協調送受信を支援するためには、チャネル情報的報告をさらに一歩強化しなければならない。
ＵＥは、予約配置した測定セット（Ｍｅａｓｕｒｅｍｅｎｔ  Ｓｅｔ）に含むセルが送信したＣＲＳ或いはＣＳＩ−ＲＳに基づき、各セルからＵＥまでのチャネル情報を推定する。
続けて、ＵＥは、直接チャネル情報をスカラ量子化或いはベクトル量子化を経て基地局へフィードバックする。
基地局は、ＵＥがフィードバックしたチャネル情報に基づき、プリコーディングマトリックス算出し、マルチユーザーペアリング、ＭＣＳ選択等の操作を行う。  
【０００９】
また、ＴＤＤ（Ｔｉｍｅ  Ｄｉｖｉｓｉｏｎ  Ｄｕｐｌｅｘｉｎｇ，時分割二重）システムのＣｏＭＰ技術において、基地局は、ＵＥが送信したＳＲＳ（Ｓｏｕｎｄｉｎｇ  Ｒｅｆｅｒｅｎｃｅ  Ｓｉｇｎａｌ，サウンディング基準信号）に基づき、アップリンクチャネル情報を獲得することができ、かつ、アップ・ダウンリンクチャネルの相互性を利用し、ダウンリンクチャネル情報を獲得することができる。
従来のＴＤＤシステムにおいて、基地局は、ＳＲＳにより獲得したチャネル情報のみに基づき、正確にＵＥにＭＣＳを選択し、周波数領域スケジューリングを行うことができなかった。
これは、アップ・ダウンリンクが受ける干渉が一般的に異なり、基地局は、ＵＥが受ける干渉を正確に予測できないためである。
もう一方で、従来のＴＤＤシステムにおいて、基地局が、ＵＥがフィードバックしたチャネル情報に基づこうとも、正確にＵＥにＭＣＳを選択し、周波数領域スケジューリングを行うことができない。
これは、ＣｏＭＰ技術および成形ビーム等方案の用いるにより、隣接するセルの干渉レベルがスケジューリング前後に変化が生じるためである。
これにより、ＵＥがチャネル情報をフィードバックする場合にスケジューリング後の干渉レベルの変化を予測することができない。  
【発明の概要】
【発明が解決しようとする課題】
【００１０】
前記から鑑みて、従来技術において、ＣｏＭＰ技術に基づき、新たに対応のチャネル情報算出および報告方式を設計しなければならない。
【課題を解決するための手段】
【００１１】
本発明は、マルチポイント協調送受信技術において、ネットワーク側が、端末が受けた干渉を正確に把握できないため、リソース分配およびスケジューリングを正確に実行できない問題を解決する、チャネル品質指標の報告方法、装置およびシステムを提供する。  
【００１２】
本発明は  ＣＱＩの報告方法と、ＣＱＩの処理方法と、ＣＱＩの報告装置と、ＣＱＩの処理装置と、ＣＱＩの報告および処理システムとを含む。
【００１３】
ＣＱＩの報告方法は、  
端末が、本端末が使用する、端末へサービスデータを送信する第一設備と、端末に対するマルチポイント協調送受信の実行に参加する少なくとも１つの第二設備とを備える測定セットを確認するステップと、
前記端末が、前記測定セット内の各設備が送信した測定基準信号をそれぞれ受信し、かつ、各設備が送信した測定基準信号に基づき、対応の設備の初期ＣＱＩをそれぞれ測定するステップと、  
前記端末が、獲得した各設備の初期ＣＱＩをネットワーク側装置へ送信し、チャネルマトリックス参考情報を前記ネットワーク側装置へ送信し、前記ネットワーク側装置を、受信した前記各設備の初期ＣＱＩおよび前記チャネルマトリックス参考情報に基づき、前記端末の目標ＣＱＩを算出して獲得するようにさせるステップとを備える。  
【００１４】
ＣＱＩの処理方法は、
ネットワーク側装置が、端末が送信した、端末へサービスデータを送信する第一設備と、端末に対するマルチポイント協調送受信の実行に参加する少なくとも１つの第二設備とを備える測定セット内の各設備に対する初期ＣＱＩを受信するステップと、
前記ネットワーク側装置が、端末からのチャネルマトリックス参考情報を受信し、かつ、受信した前記各設備の初期ＣＱＩおよび前記チャネルマトリックス参考情報に基づき、前記端末の目標ＣＱＩを算出して獲得するステップとを備える。
【００１５】
ＣＱＩの報告装置は、確認ユニットと、受信ユニットと、測定ユニットと、送信ユニットとを備え、
前記確認ユニットは、前記ＣＱＩの報告装置に使用される、前記ＣＱＩの報告装置へサービスデータを送信する第一設備と、前記ＣＱＩの報告装置に対するマルチポイント協調送受信の実行に参加する少なくとも１つの第二設備とを備える測定セットを確認し、
前記受信ユニットは、前記測定セット内の各設備が送信した測定基準信号をそれぞれ受信し、
前記測定ユニットは、前記各設備が送信した測定基準信号に基づき、対応の設備の初期ＣＱＩをそれぞれ測定し、  
前記送信ユニットは、獲得した各設備の初期ＣＱＩをネットワーク側装置へ送信し、チャネルマトリックス参考情報を前記ネットワーク側装置へ送信し、前記ネットワーク側装置を、受信した前記各設備の初期ＣＱＩおよび前記チャネルマトリックス参考情報に基づき、本装置の目標ＣＱＩを算出して獲得するようにさせる。  
【００１６】
ＣＱＩの処理装置は、通信ユニットと、処理ユニットとを備え、
前記通信ユニットは、端末が送信した、端末へサービスデータを送信する第一設備、および端末に対するマルチポイント協調送受信の実行に参加する少なくとも１つの第二設備とを備える測定セット内の各設備に対する初期ＣＱＩを受信し、端末からのチャネルマトリックス参考情報を受信し、
前記処理ユニットは、受信した前記各設備の初期ＣＱＩおよび前記チャネルマトリックス参考情報に基づき、前記端末の目標ＣＱＩを算出して獲得する。  
【００１７】
ＣＱＩの報告および処理システムは、端末と、ネットワーク側とを備え、
前記端末は、自身が使用した、本端末へサービスデータを送信する第一設備と、本端末に対するマルチポイント協調送受信の実行に参加する少なくとも１つの第二設備とを備える測定セットを確認し、それぞれ前記測定セット内の各設備が送信した測定基準信号を受信し、かつ、各設備が送信した測定基準信号に基づき、対応の設備の初期ＣＱＩをそれぞれ測定し、さらに、獲得した各設備の初期ＣＱＩをネットワーク側装置へ送信し、かつ、チャネルマトリックス参考情報を前記ネットワーク側装置へ送信し、前記ネットワーク側装置を、受信した前記各設備の初期ＣＱＩおよび前記チャネルマトリックス参考情報に基づき、本端末の目標ＣＱＩを算出して獲得するようにさせ、
前記ネットワーク側は、端末が送信した測定セットでの各設備に対する初期ＣＱＩを受信し、端末からのチャネルマトリックス参考情報を受信し、かつ、受信した前記各設備の初期ＣＱＩおよび前記チャネルマトリックス参考情報に基づき、前記端末の目標ＣＱＩを算出して獲得する。  
【発明の効果】
【００１８】
本発明によれば、端末は、測定セット内の各設備が送信した測定基準信号に基づき、ネットワーク側装置内の基地局へ測定セットの各設備の初期ＣＱＩをフィードバックする。
また、ネットワーク側装置は端末がフィードバックした各設備の初期ＣＱＩ、および端末がフィードバックしたチャネルマトリックス参考情報に基づき、端末の目標ＣＱＩを算出する。
このようにすることにより、マルチポイント協調送受信におけるＣＱＩフィードバック問題を解決し、ネットワーク側装置は、端末がフィードバックした多設備の初期ＣＱＩに基づき、最終的にダウンリンクデータを送信する目標ＣＱＩを獲得することができる。
これにより、ネットワーク側が、端末が受けた干渉を正確に把握させることができ、端末スケジューリング、リソース分配およびＭＣＳ選択を正確に実行し、マルチポイント協調送受信におけるシステムスループットを有効的に向上し、システム性能を高める。
本実施形態は、同様に、ＴＤＤシステムとＦＤＤシステムに適用できる。
【図面の簡単な説明】
【００１９】
【図１】従来技術におけるマルチポイント協調送受信を示す図。
【図２】従来技術におけるマルチポイント協調送受信を示す図。
【図３】本発明の実施形態において通信システム体系の構成図。
【図４】本発明の実施形態において端末機能構造を示す図。
【図５】本発明の実施形態においてネットワーク側装置機能構造を示す図。
【図６】本発明の実施形態において端末がネットワーク側装置へＣＱＩを報告するフロー図。
【図７】本発明の実施形態においてネットワーク側装置が、端末が報告したＣＱＩを処理するフロー図。
【発明を実施するための形態】
【００２０】
マルチポイント協調送受信技術において、ネットワーク側に端末が受けた干渉を正確に把握させることができようにし、これにより、正確にリソース分配およびスケジューリングを実行するため、本発明の実施形態において、端末は、測定セットでの各設備に対する初期ＣＱＩ測定を実行し、かつ、各設備の初期ＣＱＩをネットワーク側装置に報告しなければならない。
そして、チャネルマトリックス参考情報を当該ネットワーク側装置へ送信することにより、前記ネットワーク側装置は、受信した各設備の初期ＣＱＩおよびチャネルマトリックス参考情報に基づき、端末の目標ＣＱＩを算出して獲得できるようになる。  
【００２１】
前記測定セットは、端末へサービスデータを送信する第一設備と、端末に対するマルチポイント協調送受信の実行に参加する少なくとも１つの第二設備とを備えている。
第一設備と第二設備は、異なるセルの基地局でもよく、同一セルの基地局でもよい。
【００２２】
本実施形態において、前記ネットワーク側装置は、前記測定セットの第一設備でもよく、前記測定セットの任意の１つ或いは複数の設備（第一設備でもよく、第二設備でもよい）でもよい。
さらに、測定セットの全設備と接続するセンター制御ノードでもよい。
【００２３】
以下では、図面と結合して本発明のより好ましい実施形態を説明する。
【００２４】
図３に示すように、本発明の実施形態に係るＣｏＭＰ技術を用いる通信システム（ＴＤＤシステムでもよく、ＦＤＤシステムでもよい）には、端末と若干の伝送設備が備えられる。
これら伝送設備間には、マルチポイント協調送受信関係（協調スケジューリング関係でもよく、ジョイント送信関係でもよい）が存在する。
ここで、伝送設備（即ち、前記第一設備である）は、端末へサービスデータを送信する。
また、その他の伝送設備（即ち、前記第二設備である）も、端末に対するマルチポイント協調送受信の実行に参加する。
第一設備と少なくとも１つの第二設備とにより、端末に対する測定セットを構成する。
当該測定セットは、端末がネットワーク登録を行う場合に、ネットワーク側から予め端末に通知し、かつ、端末内に保存される。
端末は、測定セット内の各設備に対するチャネル情報を測定しなければならず、ネットワーク側が、端末が受けた干渉を正確に推定できるようにする。
【００２５】
ここで、端末は、本端末が使用した、端末へサービスデータを送信する第一設備と、端末に対するマルチポイント協調送受信の実行に参加する少なくとも１つの第二設備とを備える測定セットを確認し、測定セットにて各設備が送信した測定基準信号をそれぞれ受信し、かつ、各設備が送信した測定基準信号に基づき、対応の設備の初期ＣＱＩをそれぞれ測定する。
さらに、獲得した各設備の初期ＣＱＩをネットワーク側装置へ送信し、かつ、チャネルマトリックス参考情報も当該ネットワーク側装置へ送信する。
チャネルマトリックス参考情報を当該ネットワーク側装置へ送信し、当該ネットワーク側装置に受信した各設備の初期ＣＱＩおよびチャネルマトリックス参考情報に基づき、端末の目標ＣＱＩを算出して獲得させる。  
【００２６】
ネットワーク側装置は、端末が送信した測定セット内の各設備に対する初期ＣＱＩを受信する。
そして、端末からのチャネルマトリックス参考情報を受信し、かつ、受信した各設備の初期ＣＱＩおよびチャネルマトリックス参考情報に基づき、端末の目標ＣＱＩを算出して獲得する。  
【００２７】
図４に示すように、本発明の実施形態において、端末は、確認ユニット４０と、受信ユニット４１と、測定ユニット４２と、送信ユニット４３とを備えている。  
【００２８】
確認ユニット４０は、本端末が使用した測定セットを確認する。
当該測定セットは、端末へサービスデータを送信する第一設備と、端末に対するマルチポイント協調送受信の実行に参加する少なくとも１つの第二設備とを備えている。
【００２９】
受信ユニット４１は、測定セット内の各設備が送信した測定基準信号をそれぞれ受信する。
【００３０】
測定ユニット４２は、各設備が送信した測定基準信号に基づき、対応の設備の初期ＣＱＩをそれぞれ測定する。
【００３１】
送信ユニット４３は、獲得した各設備の初期ＣＱＩをネットワーク側装置へ送信し、かつ、チャネルマトリックス参考情報を当該ネットワーク側装置へ送信し、当該ネットワーク側装置が、受信した各設備の初期ＣＱＩおよびチャネルマトリックス参考情報に基づき、端末の目標ＣＱＩを算出させるようにする。
【００３２】
図５に示すように、本発明の実施形態において、ネットワーク側装置は、通信ユニット５０と処理ユニット５１を備えている。  
【００３３】
通信ユニット５０は、端末が送信した、端末へサービスデータを送信する第一設備と、端末に対するマルチポイント協調送受信の実行に参加する少なくとも１つの第二設備とを備える測定セットでの各設備に対する初期ＣＱＩを受信し、端末からのチャネルマトリックス参考情報を受信する。
【００３４】
処理ユニット５１は、受信した各設備の初期ＣＱＩおよびチャネルマトリックス参考情報に基づき、端末の目標ＣＱＩを算出する。  
【００３５】
前記技術案に基づき、図６に示すように、本発明の実施形態において、端末がネットワーク側へＣＱＩを報告するフロー例を以下で詳細に説明する。
【００３６】
ステップ６００において、端末は、本端末が使用した測定セットを確認する。
当該測定セットは、端末へサービスデータを送信する第一設備と、端末に対するマルチポイント協調送受信の実行に参加する少なくとも１つの第二設備とを備えている。  
【００３７】
端末が使用する測定セットは、基地局による配置後に端末へ送信し、端末は、基地局の指示に基づき、当該測定セットを確認できる。
例えば、基地局は、ダウンリンクシグナルを介して具体的な測定セットを通知する。
また、端末により、ネットワーク側と予め約束したモデルに基づき、自ら配置もできる。  
【００３８】
ステップ６１０において、端末は、測定セット内の各設備が送信した測定基準信号をそれぞれ受信し、かつ、各設備が送信した測定基準信号に基づき、対応の設備の初期ＣＱＩをそれぞれ測定する。
【００３９】
本実施形態において、端末が受信した各設備から送信された測定基準信号は、対応の設備が送信したＣＲＳまたは／およびＣＳＩ−ＲＳを備えている。  
【００４０】
また、端末がいずれかの設備が送信した測定基準信号に基づき、当該設備の初期ＣＱＩを測定する場合、まず、いずれかの設備が送信した測定基準信号に基づき、当該いずれかの設備から端末の各サブキャリアまでにおけるチャネルマトリックスを獲得する。
さらに、[数１]を用いて、当該いずれかの設備の初期ＣＱＩを算出する。
【数１】
0005681833.tif 000005
【００４１】
ここで、
0005681833.tif 000006
は、端末ｑの測定セットにおける第ｉ個設備の初期ＣＱＩであり、  
0005681833.tif 000007
は、量子化関数であり、  
Ｓは、サブキャリア・アグリゲーションであり；Ｓは、時間周波数リソース内のサブキャリアを備え、ＰＲＢ（Ｐｈｙｓｉｃａｌ  Ｒｅｓｏｕｒｃｅ  Ｂｌｏｃｋ，物理リソースブロック）、サブバンド（連続する若干のＰＲＢを備える）、或いは、全システム帯域幅でもよく；  
0005681833.tif 000008
は、マッピング函数であり、
0005681833.tif 000009
を１つの数値としてマッピングし、Ｓ内の全サブキャリアにおける平均チャネル品質を代表し；ここで、
0005681833.tif 000010
は、線形平均でもよく、
0005681833.tif 000011
或いは、ＥＥＳＭ（Ｅｘｐｏｎｅｎｔｉａｌ  Ｅｆｆｅｃｔｉｖｅ  ＳＩＲ  Ｍａｐｐｉｎｇ，指数有効な信号対雑音比マッピング）等のその他マッピング函数でよい。  
【００４２】
0005681833.tif 000012
は、端末ｑの測定セットにおける第ｉ個設備はサブキャリアｋにおける初期ＣＱＩである。
ここで、
0005681833.tif 000013
であり、
0005681833.tif 000014
は、第ｉ個設備から端末ｑのサブキャリアｋまでのチャネルマトリックスを表し、その次元数は、
0005681833.tif 000015
であり、
0005681833.tif 000016
は、端末ｑの受信アンテナ数であり、
0005681833.tif 000017
は、第ｉ個設備内の基地局の送信アンテナ数であり、
0005681833.tif 000018
は、端末が受けた干渉とノイズパワーを表す。
好ましくは、この干渉は、測定セット以外での干渉のみを含む。或いは、
0005681833.tif 000019
も、その他の方法に基づき、算出する。
例えば、端末は、チャネル情報に基づき、サブキャリアｋにおける線形測定器が、
0005681833.tif 000020
と算出する。
よって、
0005681833.tif 000021
である。
【００４３】
ステップ６２０において、端末は、獲得した各設備の初期ＣＱＩをネットワーク側装置へ送信し、さらにチャネルマトリックス参考情報を当該ネットワーク側装置へ送信し、当該ネットワーク側装置が受信した各設備の初期ＣＱＩおよびチャネルマトリックス参考情報に基づき、端末の目標ＣＱＩを算出できるようにする（即ち、当該ＣＱＩは、ネットワーク側が最終的に端末に対するリソーススのケジューリングとＭＣＳ選択に用いられる）。  
【００４４】
端末の目標ＣＱＩは、第一設備にて算出でき、測定セットの任意の１つ或いは複数の設備においても算出でき、さらに測定セットの設備全てと関連するセンター制御ノードにおいても算出することができる。
即ち、ネットワーク側装置は、前記種類の情況の内、任意の１種類でよい。  
【００４５】
本実施形態において、端末が獲得した各設備の初期ＣＱＩをネットワーク側装置へ送信することは、端末がアップリンクチャネルを介して獲得した各設備の初期ＣＱＩを第一設備へ送信する、或いは、測定セットの任意の１つ或いは複数の設備へ送信する（即ち、第一設備を備えることができ、第二設備を備えることもできる）、或いは、測定セットの設備全てと関連するセンター制御ノードへ送信することを表す。  
【００４６】
ステップ６２０の実行過程において、端末がチャネルマトリックス参考情報をネットワーク側装置へ送信する場合、以下の２種類の実施方式（これに限らない）を用いることができる。  
【００４７】
第１方式：端末が獲得した各設備の初期ＣＱＩをネットワーク側装置へ送信後、ＳＲＳを送信することにより、測定セットの各設備は、全て受信したＳＲＳに基づき、端末から対応の設備までのアップリンクチャネルマトリックスを獲得し、かつ、チャネル相互性に基づき、対応のダウンリンクチャネルマトリックスを獲得し、さらに、それぞれ各自が獲得したダウンリンクチャネルマトリックスをチャネルマトリックス参考情報とし、ネットワーク側装置まで送信する。  
【００４８】
第２方式：端末が獲得した各設備の初期ＣＱＩをネットワーク側装置へ送信後、測定セットでの各設備のダウンリンク参考符号に基づき、それぞれ獲得したチャネルマトリックスをチャネルマトリックス参考情報とし、ネットワーク側装置まで送信する。
この時、端末はＳＲＳを送信しなくてもよい。  
【００４９】
例えば、端末が送信したＳＲＳ被測定セットにおけるある設備内の基地局が受信後、当該基地局は、受信したＳＲＳに基づき、端末から当該基地局管轄設備までのアップリンクチャネルマトリックスを算出し、かつ、チャネル相互性に基づき、ダウンリンクチャネルマトリックス
0005681833.tif 000022
を獲得する。
端末と基地局送信電力の違い、およびアップ・ダウンリンク無線周波数リンクの非整合により、
0005681833.tif 000023
と実際のダウンリンクチャネル情報
0005681833.tif 000024
は、定数の差が出る可能性がある。
即ち、
0005681833.tif 000025
。
本実施形態において、
0005681833.tif 000026
は、基地局が端末のフィードバックを介して獲得したチャネルマトリックスでもよく、この時端末は、ＳＲＳ信号を送信しなくてもよい。  
【００５０】
前記実施形態に基づき、図７に示すように、本発明の実施形態における、ネットワーク側装置が、端末が報告したＣＱＩを処理するフロー例であり、その詳細を以下に示す。
【００５１】
ステップ７００において、ネットワーク側装置は、端末が送信した測定セット内の各設備に対する初期ＣＱＩを受信する。
当該測定セットは、端末のサービス設備と、端末に対するマルチポイント協調送受信の実行に参加する協力設備とを備えている。
【００５２】
同様に、前記ネットワーク側装置は、測定セットの第一設備でもよく、測定セットの任意の１つ或いは複数の設備でもよく、さらに、測定セットの設備全てと関連するセンター制御ノードでもよい。
もし、複数の基地局であれば、各基地局が実行する操作の原理は、同じである。  
【００５３】
ステップ７１０において、ネットワーク側は、端末からのチャネルマトリックス参考情報を受信し、かつ受信した各設備の初期ＣＱＩおよびチャネルマトリックス参考情報に基づき、端末の目標ＣＱＩを算出して獲得する。  
【００５４】
本実施形態において、ステップ７１０を実行する過程において、ネットワーク側装置も、以下の２種類の実施方式を用いて端末からのチャネルマトリックス参考情報を受信できる（これに限らない）。  
【００５５】
第１方式：測定セットの各設備は、端末からそれぞれ受信したＳＲＳに基づき、対応のアップリンクチャネルマトリックスを獲得し、かつ、チャネル相互性に基づき、対応のダウンリンクチャネルマトリックスをそれぞれ獲得する。
そして、ネットワーク側装置は、各設備が送信したダウンリンクチャネルマトリックスをそれぞれ受信し、かつ、各ダウンリンクチャネルマトリックスをチャネルマトリックス参考情報とする。  
【００５６】
第２方式：ネットワーク側装置は、端末が送信した測定セットにおける各設備のダウンリンク参考符号に基づき、それぞれ獲得したチャネルマトリックスを受信し、かつ、各チャネルマトリックスをチャネルマトリックス参考情報とする。  
【００５７】
本実施形態において、ネットワーク側装置が、受信した各設備の初期ＣＱＩおよびチャネルマトリックス参考情報に基づき、端末の目標ＣＱＩを算出して獲得する場合、その具体的な動作方式は、以下とおりである。
ネットワーク側装置は、測定セット内の各設備がスケジューリング完了後（ここでのスケジューリングは、ＣｏＭＰ技術に基づくスケジューリングでもよく、単一設備スケジューリングでもよい）、まず、端末の各サブキャリアにおける目標ＣＱＩを算出し、さらに、獲得した各サブキャリアにおける目標ＣＱＩをマッピング処理し、マッピングして統一値とする。
【００５８】
本端末の任意のサブキャリアにおける目標ＣＱＩを算出する場合、[数２]を用いることができる。
具体的な例を以下に示す。
【数２】
0005681833.tif 000027
ここで、
0005681833.tif 000028
は、端末ｑのサブキャリアｋにおける目標ＣＱＩであり、  
0005681833.tif 000029
は、端末ｑの測定セットにおける第ｉ個設備の初期ＣＱＩであり、  
0005681833.tif 000030
は、
0005681833.tif 000031
に基づき獲得した正規化後のチャネルマトリックスであり、
0005681833.tif 000032
、
0005681833.tif 000033
は、第ｉ個設備から端末ｑのサブキャリアｋまでのチャネルマトリックスを表し、
0005681833.tif 000034
に基づき
0005681833.tif 000035
を獲得する方法は多い。例えば、
0005681833.tif 000036
、または、例えば、
0005681833.tif 000037
に基づき、帯域幅内の平均値が正規化を実行し、
0005681833.tif 000038
を獲得する。
ここでは、説明を繰り返さない、  
0005681833.tif 000039
は、測定セットにおける第i個設備が最終的にスケジューリングした端末セットであり、  
0005681833.tif 000040
は、端末ｑのプリコーディング加重値であり、  
0005681833.tif 000041
は、端末ｑの受信アンテナ数であり、  
Ａは、測定セットであり；  
0005681833.tif 000042
は、端末ｑの測定セットにおける第ｐ個設備の初期ＣＱＩであり、ｐ≠ｉ；  
0005681833.tif 000043
は、
0005681833.tif 000044
に基づき獲得した正規化後のチャネルマトリックスであり、
0005681833.tif 000045
、
0005681833.tif 000046
は、第ｐ個設備から端末ｑのサブキャリアｋまでのチャネルマトリックスを表し、ｐ≠ｉ；  
0005681833.tif 000047
は、測定セットの第ｐ個設備が最終的にスケジューリングする端末セットであり、ｐ≠ｉ；  
0005681833.tif 000048
は、端末１のプリコーディング加重値である。
【００５９】
或いは、端末が任意のサブキャリアにおける目標ＣＱＩを算出する場合、算出の複雑さが許容範囲にあれば、数式三を用いることもできる。
【００６０】
算出の複雑さが許容範囲にあるという前提の下、ネットワーク側装置は、測定器が出力したＣＱＩを算出でき、その入・出力モデル模型を以下と仮定する：  
0005681833.tif 000049
ここで、ｚは、測定セット以外の干渉とノイズであり、ｚを定義する際に使用する共分散行列を単位行列とする。
端末ｑのサブキャリアｋにおける線形測定器をｇｑ（k）と仮定すると、前記端末ｑのサブキャリアｋにおける目標ＣＱＩを以下のように示すことができる：
【数３】
0005681833.tif 000050
ここで、
0005681833.tif 000051
は、端末ｑのサブキャリアｋにおける目標ＣＱＩであり、
0005681833.tif 000052
は、端末ｑの測定セットにおける第ｉ個設備の初期ＣＱＩであり、
0005681833.tif 000053
は、端末ｑのサブキャリアｋにおける線形測定器であり、
0005681833.tif 000054
は、
0005681833.tif 000055
に基づき獲得した正規化後のチャネルマトリックスであり、
0005681833.tif 000056
、
0005681833.tif 000057
は、第ｉ個設備から端末ｑのサブキャリアｋまでのチャネルマトリックスを表し、  
0005681833.tif 000058
は、測定セットの第１個設備が最終的にスケジューリングする端末セットであり、  
0005681833.tif 000059
は、端末ｑのプリコーディング加重値であり、  
Ａは、測定セットであり、  
0005681833.tif 000060
は、端末ｑの測定セットにおける第ｐ個設備の初期ＣＱＩであり、ｐ≠ｉ、  
0005681833.tif 000061
は、
0005681833.tif 000062
に基づき獲得した正規化後のチャネルマトリックスであり、
0005681833.tif 000063
、
0005681833.tif 000064
は、第ｐ個設備から端末ｑのサブキャリアｋまでのチャネルマトリックスを表し、ｐ≠ｉ、  
0005681833.tif 000065
は、測定セットの第ｐ個設備が最終的にスケジューリングする端末セットであり、ｐ≠ｉ、  
0005681833.tif 000066
は、端末lのプリコーディング加重値であり、  
0005681833.tif 000067
は、端末ｍのプリコーディング加重値である。
【００６１】
前記の任意の方式を用いて、端末が、各サブキャリアにおける目標ＣＱＩを獲得後、【数４】を用いて獲得した各サブキャリアにおける目標ＣＱＩをマッピング処理し、これによりマッピングして統一値とする。具体的に：  
【数４】
0005681833.tif 000068
ここで、
0005681833.tif 000069
は、獲得した各サブキャリアにおける目標ＣＱＩをマッピング処理後、獲得した統一値であり、
0005681833.tif 000070
は、端末ｑのサブキャリアｋにおける目標ＣＱＩであり、  
0005681833.tif 000071
は、マッピング函数である。例えば、ＥＥＳＭ等マッピング函数でもよく、  
Ｓは、サブキャリア・アグリゲーションであり、帯域幅内のサブキャリアを備える。ＰＲＢ、サブバンド（連続する若干のＰＲＢ）でもよく、或いは、全システム帯域幅でもよい。
【００６２】
このように、ネットワーク側装置は、各サブキャリアの
0005681833.tif 000072
を単一のＣＱＩ値にマッピングする。
これにより、基地局は、獲得した単一のＣＱＩ値に基づき、端末に対しダウンリンク送信データが使用するＭＣＳと周波数領域リソースを確認することができる。  
【００６３】
前記実施形態において、測定セット内の各設備のスケジューリングは、協調スケジューリングでもよく、独立した単一設備スケジューリングでもよい。
この両者について、特に、後者は、本発明に係る実施形態を用いれば、そのＣＱＩ算出およびＭＣＳ選択の正確度を向上させることができる。
よって、システム全体の性能も高まる。  
【００６４】
以上から、本発明の実施形態において、端末は、測定セットにて各設備が送信した測定基準信号に基づき、ネットワーク側装置内の基地局へ測定セットの各設備の初期ＣＱＩをフィードバックする。
また、ネットワーク側装置は、端末がフィードバックした各設備の初期ＣＱＩ、および端末がフィードバックしたチャネルマトリックス参考情報に基づき、端末の目標ＣＱＩを算出する。
このように、ＴＤＤシステム内のマルチポイント協調送受信におけるＣＱＩフィードバック問題を解決し、ネットワーク側装置に、端末がフィードバックした多設備の初期ＣＱＩに基づき、最終的にダウンリンクデータを送信する目標ＣＱＩを獲得させることができる。
これにより、ネットワーク側に端末が受けた干渉を正確に把握させることができ、さらに端末スケジューリング、リソース分配およびＭＣＳ選択を正確に実行し、マルチポイント協調送受信におけるシステムスループットを効率的に向上し、システム性能を高める。
本実施形態は、同様にＦＤＤシステムにも適用するが、ここでは説明を繰り返さない。
【００６５】
本分野の技術者として、本発明の実施形態が、方法、システム或いはコンピュータプログラム製品を提供できるため、本発明は、完全なハードウェア実施形態、完全なソフトウェア実施形態、またはソフトウェアとハードウェアの両方を結合した実施形態を採用できることがわかるはずである。
さらに、本発明は、１つ或いは複数のコンピュータプログラム製品の形式を採用できる。
当該製品は、コンピュータ使用可能なプログラムコードを含むコンピュータ使用可能な記憶媒体（ディスク記憶装置と光学記憶装置等を含むがそれとは限らない）において実施する。  
【００６６】
以上は、本発明の実施形態の方法、装置（システム）、およびコンピュータプログラム製品のフロー図および／またはブロック図によって、本発明を記述した。
理解すべきことは、コンピュータプログラム指令によって、フロー図および／またはブロック図における各フローおよび／またはブロックと、フロー図および／またはブロック図におけるフローおよび／またはブロックの結合を実現できる。
プロセッサは、これらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における１つ或いは複数のフローおよび／またはブロック図における１つ或いは複数のブロックに指定する機能を実現する。  
【００６７】
また、これらのコンピュータプログラム指令は、コンピュータ或いは他のプログラム可能なデータ処理装置を特定方式で動作させるコンピュータ読取記憶装置に記憶することができる。
これによって、指令を含む装置は、当該コンピュータ読取記憶装置内の指令を実行でき、フロー図における１つ或いは複数のフローおよび／またはブロック図における１つ或いは複数のブロックに指定する機能を実現する。  
【００６８】
これらコンピュータプログラム指令は、さらに、コンピュータ或いは他のプログラム可能なデータ処理装置設備に実装もできる。
コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における１つ或いは複数のフローおよび／またはブロック図における１つ或いは複数のブロックに指定する機能を実現する。  
【００６９】
本発明の好ましい実施形態において記述したが、当業者は、本発明の基本的な技術思想を把握した上、多種多様な変更と変形を行える。
そのような全ての変形と変更は、発明に記述された実施形態と共に、付加する請求の範囲の範囲内にあると解釈されるべきである。
【００７０】
無論、当業者によって、上述した実施形態に記述された技術的な解決手段を改造し、或いはその中の一部の技術要素を置換することもできる。
そのような、改造と置換は、本発明の各実施形態の技術の範囲から逸脱するとは見なされない。
そのような改造と置換は、すべて本発明の請求の範囲に属する。  
【図１】
0005681833.tif 000198
【図２】
0005681833.tif 000199
【図３】
0005681833.tif 000200
【図４】
0005681833.tif 000201
【図５】
0005681833.tif 000202
【図６】
0005681833.tif 000203
【図７】
0005681833.tif 000204